(57)【特許請求の範囲】
【請求項１】
平行な支持溝が複数形成されてなる一対の側板を枠の内面に支持溝が互いに向き合うように配置し、相対する溝に板材の対となる縁を挿入して、板材を所定の間隔で収納する板材収納枠において、弾発力を有する挟持部を備えたカードホルダーを外周面に配設し、該カードホルダーは取付部が１点であって回動させて方向を変えることができるように固定した板材収納枠。
【請求項２】
前記カードホルダーは、前記取付部に圧縮バネや山、谷を繰り返すカムを組み合わせた請求項１記載の板材収納枠。
【発明の詳細な説明】
【０００１】
【発明の属する技術分野】
本発明は、各種電気・電子機器に組み込まれるプリント基板や、その他の産業分野で使用される板材を搬送や保管のため収納する板材収納枠に関する。
【０００２】
【従来の技術】
従来から、プリント基板のような板材の輸送や保管をするものとして、平行溝が多数形成されてなる一対の側板を枠または箱の内面に溝が互いに向き合うように配置し、相対する溝に板材の対となる縁を挿入して、プリント基板同士が互いに接触しないように所定の間隔で収納し、搬送したり、一時的に保管する収納枠や箱が多用されている。これらの枠や箱をプリント基板の製造・加工工程において使用する場合、各工程における管理のため、商品名、製造年月日、ロット番号、担当者などを記入した小さなカードから、作業内容を表示した大きなカードまで、適宜選択されたカードを見やすい箇所に接着テープで貼り付けたり、透明なファイルケースに入れて上に置いたりしていた。
【０００３】
【発明が解決しようとする課題】
しかしながら、接着テープで貼り付けたり、透明なファイルケースに入れて上に置くだけの場合には、剥がれたり、紛失する恐れがある。その結果、カードの再発行や再検査等の追加作業が生じて、生産性が悪くなるという問題がある。
【０００４】
本発明は、上記従来技術の問題点を解消することをその課題とするものであり、収納した板材の商品名、製造年月日等の管理情報を適宜選択して表示したカードを見えるところに表示できるとともに、表示したカードが剥がれたり、紛失したりすることを防止することができる板材収納枠を提供することをその目的とするものである。
【０００５】
【課題を解決するための手段】
本発明はこの目的を達成するため次のような構成を採用している。
【０００６】
つまり、本発明の板材収納枠は、平行な支持溝が複数形成されてなる一対の側板を枠の内面に支持溝が互いに向き合うように配置し、相対する溝に板材の対となる縁を挿入して、板材を所定の間隔で収納する板材収納枠において、弾発力を有する挟持部を備えたカードホルダーを外周面に配設し、該カードホルダーは取付部が１点であって回動させて方向を変えることができるように固定したものであり、狭持部の弾発力によりカードを狭持することができるとともに、カードホルダーは回動させて方向を変えることができる。
【０００７】
前記カードホルダーは、前記取付部に圧縮バネや山、谷を繰り返すカムを組み合わせて、所定の角度で係止させることが望ましい。
【０００８】
【発明の実施の形態】
次に本発明に係る板材収納枠の実施の形態（以下、実施例という）を図面に基づいて説明する。
【０００９】
【実施例】
図１は本発明の第一参考例の板材収納枠を示す正面図であり、図２は図１の右側面図であり、図３は図１の平面図であり、図４は図１の左側面図である。
【００１０】
本発明第一参考例の板材収納枠１は、所定間隔で平行な支持溝６が多数形成され、枠１の内面に支持溝６が互いに向き合うように配置された一対の側板２，３と、側板２，３を所定間隔で支持する一対のベース４，５（天板４と底板５）とを備え、相対する支持溝６に板材１０の対となる縁を挿入して、板材１０を所定間隔で収納できるようにしているとともに、ベース４，５の一方の外側にはりがねから形成されるはりがね式のカードホルダー１２を備え、収納した板材１０の商品名、製造年月日等を適宜選択して表示したカード２６を見えるところに表示し、かつ表示したカードが剥がれたり、紛失したりすることを防止することができるようにしている。
【００１１】
図１から図４では、板材収納枠１は、ラックとピニオン歯車を組み合わせて一方の側板を他方の側板に向け平行に移動できるように形成し、板材の収納幅に合わせて幅調整ができるタイプについて例示しているが、図示したものに限定されるものではなく、平行な支持溝６が複数形成されてなる一対の側板２，３を枠１の内面に支持溝６が互いに向き合うように配置し、相対する溝６に板材１０の対となる縁を挿入して、板材１０を所定の間隔で収納するものであれば、両側板２，３がベース４，５に固定されていて、板材の収納幅に合わせて幅調整ができないタイプでも良い。
【００１２】
図１から図４では、ベース４，５（天板４と底板５）はプラスチック等の合成樹脂で形成しているものを例示しているが、合成樹脂に限らず亜鉛メッキ鋼板等をプレスにて曲げ加工して適度な剛性をもたせたいわゆる板金で構成しても良い。この一対のベース４，５間に設けられる固定側板２と可動側板３は、内面に多数の支持溝６が形成され、外面には長手方向の両端部よりやや内側に互いに向かい合った一対の鉤形片８を上下に並設した複数の単位板７を連接して構成されている。即ち、固定側板２と可動側板３は、それぞれ単位板７を同一平面上に上下に所定枚数配設し、外面の一対の鉤形片８にハット材９の舌片１１を差し込んで、複数の単位板７を串刺し状に刺し、一体化した構造としている。固定側板２は、一対の両端のハット材９の上下端に取り付けられたアングル材（図示せず）等の連結材にて、左右いずれか一方の端部でベース４とベース５に固着されている。板材収納枠１の他方の両端の角部には一対の支柱１３を立設し、ベース４とベース５の端部とを一定の間隔に支持固定している。つまり、ベース４とベース５、固定側板２のハット材９とアングル材等の連結材（図示せず）及び支柱１３にて、収納枠としての剛性のある箱体が形成されている。可動側板３が固定側板２と向かい合った状態で平行に移動して、固定側板２に近づけたり遠ざけたりできるように、可動側板４の４隅部近くに、互いに連動する少なくとも１個のピニオン歯車（図示せず）を回動自在に設け、該全てのピニオン歯車と噛合するラック（図示せず）を刻設したガイドレール１４を固定側板２に対して直角方向になるようにベース４とベース５の内面に配設している。また、ベース４とベース５にはそれぞれガイドレール１４と平行な長孔１５を穿設し、該長孔１５を貫通し表と裏から挟圧する固定手段１６を設けると共に、該固定手段１６の操作部１７をベース４とベース５の内側に設けている。
【００１３】
次に、はりがね式カードホルダー１２について詳細に説明すると、図５は図２の要部の拡大図であり、図６は図５のＡ−Ａ断面図（わかりやすくするためベース４等を省略してある）であり、図７は図６の使用状態を示す断面図である。はりがね式ホルダー１２は、平面が略コの字状に折り曲げてあって、両端部（起点部）を巻いて取付部２１を構成するとともに、両取付部２１から側面が斜め下方に向けてＶ字の谷部２３を有する狭持片２２を形成し、谷部２３から斜め上方に折り曲げてから両側を連結して操作部２４を形成して、はりがねがもつ素材の弾性及び前記狭持片２２等の構造により弾発力を有する狭持部を形成ことにより、下方向に押圧力が働くようにしている。従って、谷部２３が内側になるように取付部２１をハット材９にネジや着脱できるプラスチック製リベット等により固定して取り付けることにより、操作部２４を持ち上げて操作部２４と固定側板２の単位板７外面との間からカード２６を挿入して、図７に示したように狭持片２２と単位板７外面との間にカード２６を狭持することができる。
【００１４】
このはりがね式カードホルダー１２は、はりがね状（線状）であるので、カード２６を挟んでもカード２６が隠れる部分が少ないので、有効表示面積を大きく取ることができる。また、取付部２１をハット材９にネジ等により取り付けているので、不要になった場合にはネジ等を外して取り外しておいて、必要に応じて再利用することができる。
【００１５】
本発明は、上記のようなはりがね式カードホルダー１２を配設したものに限定されるわけではなく、弾発力を有する狭持部を備えた種々の構造のカードホルダーを配設することができる。以下その各実施例について説明する。
【００１６】
図８は本発明実施例のクリップ式カードホルダー３２を備えた板材収納枠３１を示す正面図であり、図９は図８の右側面図であり、図１０は図８のクリップ式カードホルダー３２の向きを９０度変えた平面図である。図１１は図１０のクリップ式カードホルダー３２の向きを１８０度変えた要部の拡大平面図であり、図１２は図９の要部の拡大図であり、図１３は図１２の使用状態を示す図であり、図１４は図９のベース４，５を板金製にした要部の拡大図である。また、図１５、図１６はクリップ式カードホルダー３２の開閉を示す要部の断面図であり、図１５は開いた状態を示し、図１６は閉じた状態を示す。この板材収納枠３１は、クリップ式カードホルダー３２以外のベース４，５、固定側板２，可動側板３等の構成は第一参考例とまったく同様であるので説明を省略する。
【００１７】
クリップ式カードホルダー３２は、一対の狭持板３３，３４の先端を別体の操作片３５の回動操作により開閉するもので、各先端の内側に複数の突起３６を有する一対の狭持板３３，３４をヒンジ部３７を介して開閉可能に一体に連結しているとともに固定側狭持板３４の両側に立設した一対の壁３８，３８間に操作片３５を回動可能に軸支している。操作片３５は、把手部４０と反対側（回転軸側）に回転軸４１から遠近の両位置をなす２面４３，４４を有するカム部４２を有し、このカム部４２とヒンジ部３７との間に別体の板バネ４５を挿着している。
【００１８】
操作片３５は、操作片３５をクリップ式カードホルダーの３２の長手方向と垂直な方向に立てた時カム部４２の回転軸４１と近い位置のカム面４４が板バネ４５と接し、操作片３５を枠の外側に向け所定角度倒した時、回転軸４１と遠い位置のカム面４３が板バネ４５と接するように設けられる。
【００１９】
固定側狭持板３４の突起３６を有する先端と反対側には、ネジ止め等が可能な取付孔４６を設けて、ベース４，５等に固定して使用する。
【００２０】
カード２６を収納する前は、クリップ式カードホルダー３２の操作片３５をクリップ式カードホルダー３２の長手方向に対し立てた状態で回転軸４１と近い距離のカム面４４が板バネ４５に接していて、ヒンジ部３７の復元力で、図１５に示したように一対の狭持板３３，３４の先端は開いた状態にある。
【００２１】
この状態から、カード２６を両狭持板３３，３４間に挿入した後、把手部４０を把持又は引っかけて、操作片３５を倒すと、操作片３５のカム部４２は回転軸と遠い距離のカム面４３が板ばね４５を押圧し、板バネ４５等の弾発力により可動側狭持板３３を固定側狭持板３４に向けて押しつけるから、図１３，図１６に示したように狭持板３３，３４の先端は閉じて一対の狭持板３３，３４間にカード２６の縁を挟んで固定することができる。
【００２２】
クリップ式カードホルダー３２は、取付部が１点であるから回動させて方向を変えることができる。取付方向を変える場合、取り付けネジをゆるめることにより、回動させても良いが、図１４に示したように、圧縮バネ４７や山、谷を繰り返すカム４８を組み合わせて、所定の角度で係止させることが望ましい。また、第一参考例と同様にネジ止め等により取り付けているので、不要になった場合にはネジを外して取り外しておいて、必要に応じて再利用することができる。
【００２３】
図１７は第ニ参考例のヒゲ式カードホルダー５２を備えた板材収納枠５１示す平面図である。図１８は図１７の要部の拡大図であり、図１９は図１８のＢ−Ｂ断面図（わかりやすくするため側板３等を省略してある）であり、図２０は図１９の使用状態を示す断面図である。この板材収納枠５１は、ヒゲ式カードホルダー５２以外のベース４，５、固定側板２，可動側板３等の構成は第一参考例とまったく同様であるので説明を省略する。
【００２４】
ヒゲ式カードホルダー５２は、支柱部５４とその一端を折り返してなる弾性部５５とからなる差し込み脚部５３と、支柱部５４の弾性部５５と反対側の他端に支柱部５４と垂直方向に延説される狭持片５６と、狭持片５６の内側に両面テープ・接着等により保持されるヒゲ状の軟質材５７と、狭持片５６の外側に溶接等により設けられ、狭持片５６と反対方向（弾性部５５の方向）に延設される操作片５８とからなり、狭持片５６等の素材・構造による弾発力及びヒゲ状の軟質材５７の弾発力を有する狭持部を形成することにより、内側に向かって押圧力が働くようにしている。従って、差し込み脚部５３をベース４の凹部５９に圧入して嵌合させて取り付けることにより、ヒゲ状の軟質材５７とベース４外面の間からカード２６を挿入して、図２０に示したようにヒゲ状の軟質材５７とベース４外面との間にカード２６を狭持することができる。また、ベース４の凹部５９への圧入による取り付けであるので、着脱でき、不要になった場合には取り外しておいて、必要に応じて再利用することができる。
【００２５】
図２１は第三参考例のゴム式カードホルダーを備えた板材収納枠７１を示す平面図であり、図２２は図２１の要部の拡大図であり、図２３は図２２のＣ−Ｃ断面図（わかりやすくするため側板３等を省略してある）であり、図２４は図２３の使用状態を示す断面図である。この板材収納枠７１は、ゴム式カードホルダー７２以外のベース４，５、固定側板２，可動側板３等の構成は第一参考例とほぼ同様であり、ベース４，５が樹脂製ではなく板金製である点が違うだけであるので説明を省略する。
【００２６】
ゴム式カードホルダー７２は、一端に取付孔７４を有する取付片７３と、取付片７３から続く中央段部７５を介して設けた狭持片７６と、狭持片７６から続く外側に向け斜めに設けられた操作片７７とを一体に形成した板片と、狭持片７６内面に接着等により固定されるゴム７８とからなり、狭持片７６等の素材・構造による弾発力及びゴム７８の弾発力を有する狭持部を形成したことにより、内側に向かって押圧力が働くようにしている。従って、ゴム７８が内側になるように取付片７３をネジ等により固定した後、操作片７７を持ち上げてゴム７８とベース４外面の間からカード２６を挿入して、図２４に示したようにゴム７８等の弾発力によりゴム７８とベース４外面との間にカード２６を狭持することができる。また、ベース４等にネジ止め等により取り付けているので、第一参考例と同様に、不要になった場合にはネジを外して取り外しておいて、必要に応じて再利用することができる。
【００２７】
図２５は第四参考例の板バネ式カードホルダーを備えた板材収納枠９１を示す正面図であり、図２６は図２５の左側面図であり、図２７は図２６の要部の拡大図であり、図２８は図２７のＤ−Ｄ断面図（わかりやすくするためベース４等を省略してある）であり、図２９は図２８の使用状態を示す断面図である。この板材収納枠９１は、板バネ式カードホルダー９２以外のベース４，５、固定側板２，可動側板３等の構成は第一参考例とまったく同様であるので説明を省略する。
【００２８】
板バネ式カードホルダー９２は、一端に取付孔９４を有する取付片９３を設け、取付片９３から斜め下方に向けてＶ字の谷部９６を有する狭持片９５を形成し、谷部９６から斜め上方に折り曲げて設けた操作片９７を形成し、板バネの弾発力を有する狭持部を形成したことにより、下方向に押圧力が働くようにしている。従って、谷部９６が内側になるように取付片９３をハット材９にネジや着脱できるプラスチック製リベット等により固定して取り付けることにより、操作片９７と単位板７外面の間からカード２６を挿入して、図２９に示したように狭持片９５と単位板７外面との間にカード２６を狭持することができる。また、ネジ止め等により取り付けているので、第一参考例と同様に不要になった場合にはネジを外して取り外しておいて、必要に応じて再利用することができる。
【００２９】
以上のように上記各参考例、実施例とも、カードホルダーを板材収納枠の外周面に取り付けて、弾発力を有する狭持片２２，５６，７６，９５等と外周面（ベース４，５あるいは側板２，３の単位板７外面）との間、あるいは一対の狭持板３３，３４間にカードを狭持することができる。また、別体のカードホルダーをネジ止め等により着脱自在に取り付けているので、不要になった場合にはネジ等を外して取り外しておいて、必要に応じてカードホルダーを再利用することができる。
【００３０】
【発明の効果】
本発明は、上記のように構成されているので次に記載する効果を奏する。
【００３１】
請求項１の発明によれば、弾発力を有する狭持部によりカードを押圧して狭持することができるので、収納した板材の商品名、製造年月日等の管理情報を適宜選択して表示したカードを見えるところに表示することができるとともに、表示したカードが剥がれたり、紛失したりすることを防止することができるとともに、カードホルダーは回動させて方向を変えることができる板材収納枠を提供することができる。
【００３２】
請求項２の発明によれば、カードホルダーは、取付部に圧縮バネや山、谷を繰り返すカムを組み合わせて、所定の角度で係止させることができる。
【図面の簡単な説明】
【図１】  本発明第一参考例を示す正面図である。
【図２】図１の右側面図である。
【図３】図１の平面図である。
【図４】図１の左側面図である。
【図５】図２の要部の拡大図である。
【図６】図５のＡ−Ａ断面図である。
【図７】図６の使用状態を示す断面図である。
【図８】本発明実施例のクリップ式カードホルダーを備えた板材収納枠を示す正面図である。
【図９】図８の右側面図である。
【図１０】図８のクリップ式カードホルダーの向きを９０度変えた平面図である。
【図１１】図１０のクリップ式カードホルダーの向きを１８０度変えた要部の拡大平面図である。
【図１２】図９の要部の拡大図である。
【図１３】図１２の使用状態を示す図である。
【図１４】図９のベースを板金製にした要部の拡大図である。
【図１５】クリップ式カードホルダーの開閉を示す要部の断面図であり、開いた状態を示す。
【図１６】クリップ式カードホルダーの開閉を示す要部の断面図であり、閉じた状態を示す。
【図１７】第二参考例のヒゲ式カードホルダーを備えた板材収納枠を示す平面図である。
【図１８】図１７の要部の拡大図である。
【図１９】図１８のＢ−Ｂ断面図である。
【図２０】図１９の使用状態を示す断面図である。
【図２１】第三参考例のゴム式カードホルダーを備えた板材収納枠を示す平面図である。
【図２２】図２１の要部の拡大図である。
【図２３】図２２のＣ−Ｃ断面図である。
【図２４】図２３の使用状態を示す断面図である。
【図２５】第四参考例の板バネ式カードホルダーを備えた板材収納枠を示す正面図である。
【図２６】図２５の左側面図である。
【図２７】図２６の要部の拡大図である。
【図２８】図２７のＤ−Ｄ断面図である。
【図２９】図２８の使用状態を示す断面図である。
【符号の説明】
１    板材収納枠
２    側板
３    側板
４    ベース
５    ベース
６    支持溝
１０  板材
１２  はりがね式カードホルダー
２６  カード
３１  板材収納枠
３２  クリップ式カードホルダー
５１  板材収納枠
５２  ヒゲ式カードホルダー
７１  板材収納枠
７２  ゴム式カードホルダー
９１  板材収納枠
９２  板バネ式カードホルダー
【図１】
0004835895.tif 000002
【図２】
0004835895.tif 000003
【図３】
0004835895.tif 000004
【図４】
0004835895.tif 000005
【図５】
0004835895.tif 000006
【図６】
0004835895.tif 000007
【図７】
0004835895.tif 000008
【図８】
0004835895.tif 000009
【図９】
0004835895.tif 000010
【図１０】
0004835895.tif 000011
【図１１】
0004835895.tif 000012
【図１２】
0004835895.tif 000013
【図１３】
0004835895.tif 000014
【図１４】
0004835895.tif 000015
【図１５】
0004835895.tif 000016
【図１６】
0004835895.tif 000017
【図１７】
0004835895.tif 000018
【図１８】
0004835895.tif 000019
【図１９】
0004835895.tif 000020
【図２０】
0004835895.tif 000021
【図２１】
0004835895.tif 000022
【図２２】
0004835895.tif 000023
【図２３】
0004835895.tif 000024
【図２４】
0004835895.tif 000025
【図２５】
0004835895.tif 000026
【図２６】
0004835895.tif 000027
【図２７】
0004835895.tif 000028
【図２８】
0004835895.tif 000029
【図２９】
0004835895.tif 000030